(57)【特許請求の範囲】
【請求項１】
ストラップを装着可能な装置本体を備える測定装置であって、
前記装置本体は、
ケースと、
前記ケースから上側に突出するように設けられ、前記装置本体の周囲の空間情報を検出する検出部と、 
前記ストラップを前記装置本体に取り付ける取り付け部であり、前記装置本体の重心よりも上側に配置され、前記ストラップを前記装置本体に装着した状態で前記装置本体から突出し、前記ストラップを用いて前記測定装置を利用者が身に付けた状態で、前記利用者に当接することにより、前記検出部を前記利用者から離間させる突出部とを備えること、
を特徴とする測定装置。 
【請求項２】
ストラップを装着可能な装置本体を備える測定装置であって、 
前記装置本体は、
ケースと、
前記ケースから突出するように設けられ、前記装置本体の周囲の空間情報を検出する検出部と、
前記ストラップを前記装置本体に取り付ける取り付け部であり、前記装置本体の重心よりも前記検出部が前記ケースから突出する方向と同じ方向側に配置され、前記ストラップを前記装置本体に装着した状態で前記装置本体から突出し、前記装置本体を載置面に載置した状態で、前記載置面に当接することにより、前記検出部を前記載置面から離間させる突出部とを備えること、 
を特徴とする測定装置。 
【請求項３】
請求項１又は請求項２に記載の測定装置において、 
前記ケースの表面に表示部の表示面が設けられ、 
前記取り付け部は前記ケースの背面に設けられていること、 
を特徴とする測定装置。 
【請求項４】
請求項３に記載の測定装置において、 
前記ケースは、前記表面と前記背面の間となる側面の高さが、前記表面及び前記背面の幅よりも低く形成されていること、 
を特徴とする測定装置。 
【請求項５】
請求項１から請求項４のいずれかに記載の測定装置において、 
前記ケースは、内部に音声出力部を収容し、前記取り付け部よりも下側の背面に、警告音を通すための孔を備えること、 
を特徴とする測定装置。 
【請求項６】
請求項１から請求項５のいずれかに記載の測定装置において、 
前記検出部は、少なくとも温度センサを内部に含んだ球体であること、 
を特徴とする測定装置。 
【請求項７】
請求項６に記載の測定装置において、 
前記球体は、黒球であること、 
を特徴とする測定装置。 
【請求項８】
請求項１から請求項５のいずれかに記載の測定装置において、 
前記検出部は、少なくとも集音部を含むこと、 
を特徴とする測定装置。 
【請求項９】
周囲の空間情報を検出する検出部がケースから上側に突出するように設けられた装置本体を備える測定装置における前記装置本体に取付けられるストラップであって、 
前記装置本体に係合する係合部と、 
前記係合部が前記装置本体に係合した状態で前記ストラップ自体から突出し、前記装置本体の重心よりも上側に配置され、前記ストラップを用いて前記測定装置を利用者が身に付けた状態で、前記利用者に当接することにより、前記検出部を前記利用者から離間させる突出部とを備えること、 
を特徴とするストラップ。 
【請求項１０】
周囲の空間情報を検出する検出部がケースから突出するように設けられた装置本体を備える測定装置における前記装置本体に取付けられるストラップであって、 
前記装置本体に係合する係合部と、 
前記係合部が前記装置本体に係合した状態で前記ストラップ自体から突出し、前記装置本体の重心よりも前記検出部が前記ケースから突出する方向と同じ方向側に配置され、前記装置本体を載置面に載置した状態で、前記載置面に当接することにより、前記検出部を前記載置面から離間させる突出部とを備えること、 
を特徴とするストラップ。 
【請求項１１】
請求項９又は請求項１０に記載のストラップにおいて、 
載置面に置かれ、前記装置本体の底部における凸形状の円弧を有する外形に、外側に膨らむように当接することにより、前記突出部を用いずに前記装置本体を前記載置面上に自立させる枠部を備えること、 
を特徴とするストラップ。 
【請求項１２】
請求項９から請求項１１のいずれかに記載のストラップにおいて、 
前記装置本体は、前記装置本体の内部及び外部を連通させる連通孔を備え、 
前記装置本体に装着された状態で、前記装置本体に設けられている前記装置本体の内部及び外部を連通させる連通孔と重なる位置に、前記連通孔の少なくも一部を露出させる孔部を備えること、 
を特徴とするストラップ。 
【請求項１３】
ストラップを装着可能な装置本体を備える表示装置であって、 
前記装置本体は、 
ケースと、 
表示面と、 
前記ケースから突出するように設けられ、前記装置本体の周囲の空間情報を検出する検出部と、 
前記ストラップを前記装置本体に取り付ける取り付け部であり、前記装置本体の重心よりも前記検出部が前記ケースから突出する方向と同じ方向側に配置され、前記ストラップを前記装置本体に装着した状態で前記装置本体から突出し、前記装置本体を載置面に載置した状態で、前記載置面に当接することにより、前記表示面を傾斜させる突出部とを備えること、 
を特徴とする表示装置。 
【請求項１４】
請求項１３に記載の表示装置において、 
載置面に置かれ、前記装置本体の底部における凸形状の円弧を有する外形に、外側に膨らむように当接することにより、前記突出部を用いずに前記装置本体を載置面上に自立させる枠部が設けられた前記ストラップを備えること、
を特徴とする表示装置。
【発明の詳細な説明】
【技術分野】
【０００１】
本発明は、測定装置、ストラップ、表示装置に関するものである。
【背景技術】
【０００２】
従来、周囲の気温等を測定する測定装置があった（例えば特許文献１）。
しかし、従来の測定装置は、携行時、載置時等に良好な検出状態を維持できるような工夫がなかった。また、表示面の良好な視認状態を維持できるような工夫もなかった。
【先行技術文献】
【特許文献】
【０００３】
【特許文献１】特開２０１２−３７４９５号公報
【発明の概要】
【発明が解決しようとする課題】
【０００４】
本発明の課題は、周囲の空間情報の良好な検出状態を維持できる測定装置、ストラップを提供することである。
また、本発明の課題は、良好な表示態様を維持できるストラップ、表示装置を提供することである。
【課題を解決するための手段】
【０００５】
本発明は、以下のような解決手段により、課題を解決する。
・第１の発明は、ストラップを装着可能な装置本体を備える測定装置であって、前記装置本体は、ケースと、前記ケースから突出するように設けられ、前記装置本体の周囲の空間情報を検出する検出部と、前記ストラップを前記装置本体に取り付ける取り付け部であり、前記ストラップを前記装置本体に装着した状態で前記装置本体から突出し、前記ストラップを用いて前記測定装置を利用者が身に付けた状態で、前記利用者に当接することにより、前記検出部を前記利用者から離間させる突出部とを備えること、を特徴とする測定装置である。
・第２の発明は、ストラップを装着可能な装置本体を備える測定装置であって、前記装置本体は、ケースと、前記ケースから突出するように設けられ、前記装置本体の周囲の空間情報を検出する検出部と、前記ストラップを前記装置本体に取り付ける取り付け部であり、前記ストラップを前記装置本体に装着した状態で前記装置本体から突出し、前記装置本体を載置面に載置した状態で、前記載置面に当接することにより、前記検出部を前記載置面から離間させる突出部とを備えること、を特徴とする測定装置である。
・第３の発明は、第１又は第２の発明の測定装置において、前記ケースの表面に表示部の表示面が設けられ、前記取り付け部は前記ケースの背面に設けられていること、を特徴とする測定装置である。
・第４の発明は、第３の発明の測定装置において、前記ケースは、前記表面と前記背面の間となる側面の高さが、前記表面及び前記背面の幅よりも低く形成されていること、を特徴とする測定装置である。
・第５の発明は、第１から第４のいずれかの発明の測定装置において、前記ケースは、内部に音声出力部を収容し、前記取り付け部よりも下側の背面に、警告音を通すための孔を備えること、を特徴とする測定装置。
・第６の発明は、第１から第５のいずれかの発明の測定装置において、前記検出部は、少なくとも温度センサ（１３）を内部に含んだ球体であること、を特徴とする測定装置である。
・第７の発明は、第６の発明の測定装置において、前記球体は、黒球であること、を特徴とする測定装置である。
・第８の発明は、第１から第５の発明の測定装置において、前記検出部は、少なくとも集音部を含むこと、を特徴とする測定装置である。
【０００６】
・第９の発明は、周囲の空間情報を検出する検出部がケースから突出するように設けられた装置本体を備える測定装置における前記装置本体に取付けられるストラップであって、前記装置本体に係合する係合部と、前記係合部が前記装置本体に係合した状態で前記ストラップ自体から突出し、前記ストラップを用いて前記測定装置を利用者が身に付けた状態で、前記利用者に当接することにより、前記検出部を前記利用者から離間させる突出部とを備えること、を特徴とするストラップである。
【０００７】
・第１０の発明は、周囲の空間情報を検出する検出部がケースから突出するように設けられた装置本体を備える測定装置における前記装置本体に取付けられるストラップであって、前記装置本体に係合する係合部と、前記係合部が前記装置本体に係合した状態で前記ストラップ自体から突出し、前記装置本体を載置面に載置した状態で、前記載置面に当接することにより、前記検出部を前記載置面から離間させる突出部とを備えること、を特徴とするストラップである。
・第１１の発明は、第９又は第１０の発明のストラップにおいて、載置面に置かれ、前記装置本体の底部における凸形状の円弧を有する外形に、外側に膨らむように当接することにより、前記突出部を用いずに前記装置本体を前記載置面上に自立させる枠部を備えること、を特徴とするストラップである。
・第１２の発明は、第９から第１１のいずれかの発明のストラップにおいて、前記装置本体は、前記装置本体の内部及び外部を連通させる連通孔を備え、前記装置本体に装着された状態で、前記装置本体に設けられている前記装置本体の内部及び外部を連通させる連通孔と重なる位置に、前記連通孔の少なくも一部を露出させる孔部を備えること、を特徴とするストラップである。
【０００８】
・第１３の発明は、ストラップを装着可能な装置本体を備える表示装置であって、前記装置本体は、ケースと、表示面と、前記ストラップを前記装置本体に取り付ける取り付け部であり、前記ストラップを前記装置本体に装着した状態で前記表示装置から突出し、前記装置本体を載置面に載置した状態で、前記載置面に当接することにより、前記表示面を傾斜させる突出部とを備えること、を特徴とする表示装置である。
・第１４の発明は、第１３の発明の表示装置において、載置面に置かれ、前記装置本体の底部における凸形状の円弧を有する外形に、外側に膨らむように当接することにより、前記突出部を用いずに前記装置本体を載置面上に自立させる枠部が設けられた前記ストラップを備えること、を特徴とする表示装置である。
【発明の効果】
【０００９】
第１、第９の発明は、突出部が利用者に当接して検出部を利用者又は載置面から離間させるので、良好な検出状態を維持できる。突出部が装置本体に設けられており、ストラップを取り付ける取り付け部を兼用するので、構成を簡単にできる。
第２、第１０の発明は、突出部が載置面に当接して検出部を利用者又は載置面から離間させるので、良好な検出状態を維持できる。突出部が装置本体に設けられており、ストラップを取り付ける取り付け部を兼用するので、構成を簡単にできる。
第１１の発明は、突出部が載置面に当接して表示面を傾斜させるので、良好な表示態様を維持できる。
【図面の簡単な説明】
【００１０】
【図１】第１実施形態の測定装置１を説明する図である。
【図２】第１実施形態の測定装置１の断面図である。
【図３】第１実施形態の測定装置１の使用態様を説明する図である。
【図４】第１実施形態の測定装置１の使用態様を説明する図である。
【図５】第２実施形態の測定装置２０１を説明する図である。
【発明を実施するための形態】
【００１１】
（第１実施形態）
以下、図面等を参照して、本発明の第１実施形態について説明する。
図１は、第１実施形態の測定装置１を説明する図である。
図１（Ａ）は、ストラップ２０を外した状態の背面図である。
図１（Ｂ）は、ストラップ２０を装着した状態の背面図である。
図１（Ｃ）は、図１（Ｂ）の右側面図である。
図１（Ｄ）は、表面１０ａから見た図である。
図２は、第１実施形態の測定装置１の断面図である。
図２（Ａ）は、図２（Ｂ）のＡ−Ａ部断面図である。
図２（Ｂ）は、右側Ｘ２から見た断面図（図１（Ｂ）の２Ｂ−２Ｂ部断面図）である。
【００１２】
なお、以下の実施形態では、説明の便宜上、図１の状態を基準に、左右方向Ｘ、奥行方向Ｙ（厚さ方向）、縦方向Ｚを定義する。また、ケース１１の一方側の面であり表示面１６ａが設けられた面を表面１０ａ、ケース１１の他方側の面であり取り付け部１８が設けられている面を背面１０ｂとする。
【００１３】
（測定装置１の構成）
測定装置１の構成につい説明する。
測定装置１は、熱中症計である。熱中症計は、気温、湿度から熱中症指標値（ＷＢＧＴ近似値）を算出し、熱中症の危険度ランクを表示する装置である。
測定装置１は、利用者が携行しながらでも使用できるし、また、テーブル（載置面）に載置したり壁等に引っ掛けても使用できる小型の装置である。
図１に示すように、測定装置１は、装置本体１０、ストラップ２０を備える。
装置本体１０は、ケース１１、黒球１２、温度センサ１３（検出部）、温度センサ１４、湿度センサ１５、表示部１６、スピーカ１７、取り付け部１８（突出部）を備える。
【００１４】
ケース１１は、装置本体１０の筐体である。ケース１１は、円盤状（高さの低い円筒状）に形成される。
ケース１１は、通気孔１１ａ，１１ｂ（連通孔）、スピーカ孔１１ｃを備える。
通気孔１１ａ，１１ｂは、装置本体１０の内部及び外部を連通させる孔である。通気孔１１ａ，１１ｂは、背面１０ｂに設けられている。通気孔は、下側Ｚ１に２つの通気孔１１ａ、上側Ｚ２に１つの通気孔１１ｂが設けられている。
通気孔１１ａは、左右対称に配置されている。通気孔１１ｂは、背面１０ｂの上側中央に配置されている。
スピーカ孔１１ｃは、スピーカ１７の警告音を通すための孔である。
【００１５】
黒球１２は、ケース１１の上側Ｚ２に配置された球体である。黒球１２は、ケース１１から上側Ｚ２に突出するように設けられている。黒球１２は、測定装置１の使用時には、通常は、ケース１１よりも上側Ｚ２になるように配置される。
温度センサ１３は、黒球１２内部に設けられている。温度センサ１３は、黒球１２内部における温度を検出することにより、黒球１２の周囲の気温に関する情報（空間情報）を検出する。
温度センサ１４、湿度センサ１５は、ケース１１内部に配置されている。
図２（Ｂ）に矢印Ｄで示すように、温度センサ１４、湿度センサ１５は、下側Ｚ１の通気孔１１ａから流入し、上側Ｚ２の通気孔１１ｂから流出する空気の温度、湿度を検出するようになっている。
【００１６】
図１に示すように、表示部１６は、例えば液晶表示装置等である。表示部１６の表示面１６ａは、表面１０ａ側である。表示部１６は、測定装置１が計測したＷＢＧＴ（湿球黒球温度）、温度、湿度、危険段階等を表示する。測定装置１の制御部（図示せず）は、各センサの出力に基づいて、温度、湿度を取得して、これらを表示部１６に表示する。
スピーカ１７は、警告音等を発生する音声出力部である。スピーカ１７は、スピーカ孔１１ｃ近傍に収容されている。
【００１７】
取り付け部１８は、ストラップ２０を装置本体１０に装着するための部分である。取り付け部１８は、背面１０ｂから奥側Ｙ２に突出するように設けられている。
取り付け部１８は、ケース１１の中央よりも上側Ｚ２に偏心して配置されている。この偏心した位置は、縦方向Ｚにおいて、装置本体１０の重心よりも上側Ｚ２である。
取り付け部１８は、電池蓋等と一体に設けられており、取り付け部１８を有しない電池蓋等に交換すれば、取り外すこともできる。
【００１８】
図２（Ｂ）に示すように、取り付け部１８は、軸部１８ａ、頂部１８ｂを備える。
軸部１８ａは、取り付け部１８のケース１１側の部分である。
図２（Ａ）に示すように、軸部１８ａの断面形状は、ほぼ正方形である。
図２（Ｂ）に示すように、頂部１８ｂは、軸部１８ａの先端に、軸部１８ａと一体に連設されている。頂部１８ｂは、ストラップ２０を装置本体１０に装着した状態で奥側Ｙ２に突出するようになっている。
頂部１８ｂの外形は、軸部１８ａの外形よりも大きい。頂部１８ｂの手前側Ｙ１の面は、ケース１１の背面１０ｂに平行な平面である。一方、頂部１８ｂの奥側Ｙ２の面は、上側Ｚ２に至るに従って奥側Ｙ２に至るように傾斜する平面である。
【００１９】
この傾斜面１８ｃは、装置本体１０を載置面６０等に載置した場合に、装置本体１０を斜めに傾斜して配置する（図３（Ｂ）参照）。つまり、この傾斜面１８ｃの傾斜角度は、ケース１１の下側Ｚ１の稜線が点接触により載置面６０等に当接し（図３（Ｂ）に示す点Ｐ１参照）、装置本体１０が斜めに傾斜した状態で、傾斜面１８ｃが、載置面６０等に平行になり載置面６０等に沿うような角度である。
このように、取り付け部１８は、ストラップ２０を装着する機能と、装置本体１０を斜めに載置等する機能を有する。このため、測定装置１は、別々の構成でこれらの機能を有するよりも、構成を簡単にできる。
【００２０】
図１、図２に示すように、ストラップ２０は、ゴム部２０Ａに、リング３０が取り付けられて構成される。ゴム部２０Ａは、ストラップ２０の本体部分であり、リング３０は、ストラップ２０を利用者が身に付けるための部材である。
ゴム部２０Ａは、取り付け孔２１、枠部２２、孔部２３、リング３０を備える。
図２に示すように、取り付け孔２１は、装置本体１０の取り付け部１８に挿入される貫通孔である。取り付け孔２１は、ほぼ正方形であり、取り付け部１８の軸部１８ａに係合する。利用者は、ゴム部２０Ａの取り付け孔２１を広げながら、頂部１８ｂを挿通させて貫通し、さらに、軸部１８ａにまで挿通させて、ストラップ２０を装置本体１０に装着する。
取り付け孔２１の外形は、軸部１８ａを締め付けるように、軸部１８ａよりも一回り小さい。このため、取り付け孔２１は、ＸＹ平面内におけるゴム部２０Ａ及び装置本体１０間の回転止めにもなっている。
【００２１】
図１に示すように、枠部２２は、ストラップ２０のゴム部２０Ａの先端に設けられた円形の枠である。
孔部２３は、貫通孔である。孔部２３は、ゴム部２０Ａが装置本体１０に密着した状態で、通気孔１１ｂの一部を露出させる位置に配置されている（図２（Ｂ）参照）。なお、孔部２３は、通気孔１１ｂを完全に露出するような大きさでもよい。
【００２２】
リング３０は、連結環２５によって、ゴム部２０Ａの枠部２２に取り付けられている。リング３０は、いわゆるマルカンである。つまり、リング３０は、切れ目が入っており、一部が内側に開くようになっている（矢印Ｅ参照）。
【００２３】
測定装置１の使用態様について説明する。
図３、図４は、第１実施形態の測定装置１の使用態様を説明する図である。
なお、図中、鉛直方向を矢印Ｖで示す。
測定装置１は、例えば、以下の３つの態様で使用できる。
（使用態様１：利用者に装着）
図３（Ａ）は、利用者５０が測定装置１を装着して使用する例である。
利用者５０は、例えば、服のベルトループ５１等にリング３０を通して、測定装置１を吊り下げるようにして使用できる。
【００２４】
取り付け部１８は、装置本体１０の重心よりも上側Ｚ２に配置されているので、装置本体１０は、黒球１２が上側Ｚ２になるように吊り下がる。取り付け部１８の傾斜面１８ｃと、背面１０ｂの下側Ｚ１の稜線部分（点Ｐ）とは、利用者５０の腰５２の辺りに当接する。傾斜面１８ｃは、前述したような傾斜角度である。このため、ストラップ２０を用いて測定装置１を利用者５０が身に付けた状態でも、傾斜面１８ｃは、利用者５０の腰５２の表面に沿う。また、取り付け部１８は、背面１０ｂに配置されているので、装置本体１０は、手前側Ｙ１に回転しようとする。
さらに、前述したように、ストラップ２０の取り付け孔２１（図２参照）は、ゴム部２０Ａ及び装置本体１０間のストラップ２０及び装置本体１０間の回転止めをする。
【００２５】
以上の態様により、黒球１２は、上側Ｚ２に配置され、また、利用者５０の腰５２の表面から離間した状態を、安定して維持できる。これにより、黒球１２は、屋外等において、利用者５０の上着等によって太陽光線が遮られることが抑制されるし、利用者５０の体温等の影響を低減できる。これにより、温度センサ１３は、良好な検出状態を維持できる。
また、利用者５０が動いたりして、仮に、ゴム部２０Ａがケース１１の背面１０ｂ等に密着してしまうような場合でも、孔部２３が通気孔１１ｂを完全に塞ぐことはない（図２（Ａ）参照）。これにより、温度センサ１４、湿度センサ１５も、良好な検出状態を維持できる。
さらに、スピーカ孔１１ｃは、取り付け部１８よりも下側Ｚ１に配置されているので、ストラップ２０に塞がれることはない。このため、測定装置１は、スピーカ１７の警告音を確実に利用者５０に伝えることができる。
なお、ストラップ２０の枠部２２やリング３０を壁等のフック等の吊り具に引っ掛けて、測定装置１を使用する場合でも、測定装置１は、上記効果を奏する。
【００２６】
（使用態様２：載置面６０に傾斜させて載置）
図３（Ｂ）は、測定装置１を載置面６０に寝かすように載置して使用する例である。
利用者は、測定装置１を屋内外のテーブル等の載置面６０に寝かすようにして載置して使用できる。
装置本体１０は、前述したように、斜めに傾斜した状態で、載置面６０に載置される。このため、黒球１２は、載置面６０から離間した状態が維持され、上記使用態様１と同様に、良好な検出状態を維持できる。
また、表示面１６ａは、斜め上方向を向くように配置され、鉛直方向上側Ｖ２を向くよりも視認性がよい。このため、利用者は、熱中症に対する危険性を確認しやすい。
さらに、ストラップ２０のゴム部２０Ａは、載置面６０に面で接触する部分２０ａを有する。この部分２０ａは、滑り止めの機能を発揮して、測定装置１を安定して載置面６０に保持できる。
なお、使用態様２の通気孔１１ｂ、スピーカ孔１１ｃに関する効果は、使用態様１と同様である。
【００２７】
（使用態様３：載置面６０に自立させて載置）
図４は、測定装置１を載置面６０に自立するように載置して使用する例である。
図４（Ａ）、図４（Ｂ）に示すように、利用者は、測定装置１を屋内外のテーブル等の載置面６０に自立させて配置して使用できる。
この場合、利用者は、ストラップ２０のゴム部２０Ａを取り付け部１８に対して、１８０度回転させる（図２（Ａ）の矢印Ｆ参照）。ゴム部２０Ａは、伸縮するので、利用者は、この作業を簡単に行うことができる。
そして、利用者は、ゴム部２０Ａを屈曲させて、枠部２２を載置面６０に置いて、さらに、枠部２２内に装置本体１０の底部１０ｃを載置する。
枠部２２をこのように屈曲させた状態で、ゴム部２０Ａは、その長さが装置本体１０の底部１０ｃに合うように設定されており、また、その硬度が、装置本体１０の底部１０ｃを枠部２２上に載置した状態で元に戻らない程度に設定されている。
また、図４（Ｂ）に示すように、断面形状において、装置本体１０の底部１０ｃの外形は、外側に膨らむような凸形状の円弧である。枠部２２の内径は、この円弧に当接して（点Ｐ２参照）、ケース１１を載せて支える。なお、実施形態では、円弧が載置面６０から若干浮き上がるように設定しているが、円弧が載置面６０に接触するようにしてもよい。
【００２８】
これにより、ストラップ２０の枠部２２は、取り付け部１８を用いずに装置本体１０を載置面６０上に自立させることができる。また、枠部２２は、ゴム材により形成されているので、装置本体１０及び載置面６０間に配置されることにより、両者間の滑り止めの機能を発揮する。これにより、枠部２２は、載置面６０の揺れ等にともなう装置本体１０の転倒を抑制し、装置本体１０を安定して載置面６０に保持できる。
【００２９】
装置本体１０は、載置面６０に自立することにより、黒球１２は、載置面６０から離間した状態が維持され、温度センサ１３は、上記使用態様１と同様に、良好な検出状態を維持できる。
また、ゴム部２０Ａは、回転されるので、通気孔１１ｂを塞ぐことはなく、温度センサ１４、湿度センサ１５は、良好な検出状態を維持できる。また、ゴム部２０Ａが屈曲するので、スピーカ孔１１ｃを塞ぐこともない。
表示面１６ａは、水平方向を向くので、視認性をより向上できる。
【００３０】
なお、図４（Ｃ）に示すように、ゴム部２０Ａの長さをより長くすれば、利用者は、ゴム部２０Ａを回転することなく折り曲げて、枠部２２上に装置本体１０を載置することもできる。
【００３１】
以上説明したように、本実施形態の測定装置１は、複数の使用態様で使用しても、周囲の温度、湿度を良好な検出状態、表示態様を維持できる。また、ストラップ２０が孔部２３を備えるので、装置内部の機能部品（温度センサ１４、湿度センサ１５等）は、その機能を維持できる。
【００３２】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第２実施形態の測定装置２０１を説明する図である。
図５（Ａ）は、ストラップ２２０を外した状態の背面図である。
図５（Ｂ）は、ストラップ２２０を装着した状態の背面図である。
図５（Ｃ）は、図１（Ｂ）の一部断面を含む右側面図である。
【００３３】
装置本体２１０は、ケース２１１の背面１０ｂに溝２１９ａを備える。
溝２１９ａ内部には、直方体形状のフランジが設けられたボス２１９ｂが配置されている。
【００３４】
ストラップ２２０は、突出部２１８、係合穴２１８ｄを備える。
突出部２１８は、第１実施形態の取り付け部１８の頂部１８ｂと同様な形状であり、先端には、傾斜面２１８ｃを備える。
係合穴２１８ｄは、ボス２１９ｂのフランジに係合する穴である。
利用者は、ストラップ２２０を装置本体２１０に装着する場合には、係合穴２１８ｄを広げながらボス２１９ｂに挿入する。ゴム部２２０Ａは、ゴム材により形成されているので、この作業は、容易である。
【００３５】
ストラップ２２０が装置本体２１０に装着された状態では、突出部２１８は、第１実施形態の取り付け部１８と同様な形状である。このため、測定装置２０１は、第１実施形態と同様な効果を奏する。
なお、突出部２１８は、ゴム材により形成されているので、載置面上において、滑り止めの機能を発揮する。
【００３６】
以上、本発明によると、突出部が利用者又は載置面に当接して検出部を利用者又は載置面から離間させるので、良好な検出状態を維持できる。
検出部が温度センサを含み、利用者や載置面から離間した位置の温度を検出できるため、温度に関連した検出状態を良好に維持できる。
検出部が集音部を含み、集音部を利用者や載置面から離間した位置に配置できるので、集音部と利用者又は載置面とのこすれ等を低減でき、ノイズ等を低減できる。
突出部が装置本体に設けられており、ストラップを取り付ける取り付け部を兼用するので、構成を簡単にできる。
ストラップの枠部が測定装置を載置面上に自立させるので、測定装置は、載置面上に自立した状態でも載置できる。また、自立状態でも、良好な検出状態を維持できる。
取り付け部がストラップ及び装置本体間の回転止めを兼用するので、測定装置が吊り下げられた状態で、検出部は、回転が抑制され、良好な検出状態を維持できる。
ストラップが装置本体に密着してしまっても、ストラップの孔部が装置本体の連通孔を露出させるので、装置内部の機能部品（スピーカ、検出部等）は、その機能を維持できる。
突出部が載置面に当接して表示面を傾斜させるので、良好な表示態様を維持できる。
ストラップの枠部が測定装置を載置面上に自立させるので、表示装置は、載置面上に自立した状態でも載置できる。また、自立状態でも、良好な表示態様を維持できる。
【００３７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３８】
（変形形態）
（１）本実施形態において、測定装置は、熱中症計である例を示したが、これに限定されない。測定装置は、外部に突出した検出部を備える装置であればよい。例えば、測定装置は、外部に突出したマイク（集音部）を備える騒音計（睡眠計等）や、気体の成分を測定する装置でもよい。騒音計の場合は、壁に吊りかけたり、載置面に載置した場合等に、マイクと壁面、載置面等とのこすれを抑制できる。
【００３９】
（２）本実施形態において、装置本体は、枠部を用いて自立する例を示したが、これに限定されない。例えば、装置本体は、底を平面に形成して、自立するようにしてもよい。この場合でも、ゴム材のストラップを敷けば、滑り止めの効果を奏する。
【００４０】
（３）本実施形態において、取り付け部は、電池蓋等に設けられる例を示したが、これに限定されない。例えば、取り付け部は、ケースに一体に設けてもよい。
【符号の説明】
【００４１】
１，２０１  測定装置
１０  ２１０  装置本体
１１，２１１  ケース
１１ａ  通気孔
１２  黒球  
１３，１４  温度センサ
１５  湿度センサ
１６  表示部
１８  取り付け部
１８ａ  軸部
１８ｂ  頂部
１８ｃ，２１８ｃ  傾斜面
２０，２２０  ストラップ
２１  取り付け孔
２２  枠部
２３  孔部
６０  載置面
２１８  突出部
２１８ｄ  係合穴
【図１】
0006412214.tif 000002
【図２】
0006412214.tif 000003
【図３】
0006412214.tif 000004
【図４】
0006412214.tif 000005
【図５】
0006412214.tif 000006